(57)【要約】【課題】  導水管の配置作業が容易である、側溝ブロックを提供する。【解決手段】  側溝ブロック３は、内部に水路Ｓを備える。また、側溝ブロック３は、その外方上端部において、その長手方向全長に渡って延びるとともに上方および側方に開放された凹段部５と、その凹段部５と水路Ｓとを連通する排水孔６、６を備える。そして、凹段部５上には、周囲の水を集水することができる導水管４が、その集水した水を排水孔６、６に排水することができるように、凹段部５の長手方向に沿って載置されるようになっている。【選択図】  図２
2006028852.tif 000002
【特許請求の範囲】
【請求項１】
内部に水路を備えた側溝ブロックであって、
その外方上端部において、前記側溝ブロックの長手方向全長に渡って延びるとともに上方および側方に開放された凹段部と、その凹段部と前記水路とを連通する排水孔とを備え、
前記凹段部上には、周囲の水を集水することができる導水管が、その集水した水を前記排水孔に排水することができるように、前記凹段部の長手方向に沿って載置されるようになっていることを特徴とする、側溝ブロック。
【請求項２】
前記凹段部の底面には、上方に開口して下方に窪む排水導入口が設けられ、
前記排水孔の前記凹段部側の開口部は、前記排水導入口の底面に開口していることを特徴とする、請求項１に記載の側溝ブロック。
【請求項３】
前記排水導入口の底面は、前記排水孔の前記開口部に向かって下る傾斜面となっていることを特徴とする、請求項３に記載の側溝ブロック。
【請求項４】
透水層を備えた道路と、請求項１ないし３のいずれか１項に記載の側溝ブロックと、前記導水管とからなる、道路の排水構造であって、
前記導水管は、内部に流路を備えるとともに、周壁に、周囲の水を前記流路に取り入れる取水部と前記流路に取り入れられた水を外部に排出する排出部とを備え、
前記側溝ブロックは、前記凹段部が前記道路側となるように配備され、
前記導水管は、前記排出部が前記排水孔と通じるように、前記凹段部上にその長手方向に沿って載置され、
前記透水層は、前記凹段部上に載置された前記導水管の、前記取水部と接するように、前記凹段部上を覆っていることを特徴とする、道路の排水構造。
【請求項５】
前記側溝ブロックを複数備えるとともに、それら複数の側溝ブロックは、長手方向における端部が互いにつき合わされるように並んで配置され、
前記排水孔は、互いに隣接する側溝ブロックのそれぞれの端部に、分割されるように形成され、
前記導水管は、前記互いに隣接する側溝ブロックに跨るようにして、それらの凹段部上に載置されることを特徴とする、請求項４に記載の道路の排水構造。
【請求項６】
前記導水管は、前記周壁に前記流路へと通じる複数の通水部を備え、
これら通水部が、前記取水部と前記排出部とを構成していることを特徴とする、請求項４または５に記載の道路の排水構造。
【発明の詳細な説明】
【技術分野】
【０００１】
この発明は、側溝ブロック、および、道路の排水構造に関するものである。
【背景技術】
【０００２】
従来の、道路の排水構造には、透水層とその下方に位置する不透水層とからなる排水性舗装の道路において、前記透水層と不透水層との間に導水管を配置して、前記透水層に浸透した雨水等の水を排水するようにしたものがあった。この排水構造においては、側溝ブロックを配置するとともに、路盤上に不透水層を形成した。そして、前記側溝ブロックの側面に沿うようにして、その側溝ブロックの脇に前記導水管を配置するとともに、その導水管の端部を屈曲させて側溝ブロック、あるいは、側溝ブロックと連結された排水枡に接続固定した。しかる後に、前記導水管を埋設するように、前記不透水層上に多孔質のアスファルト舗装等を施して、透水層を形成していた。これにより、この透水層に浸透した水は、前記導水管によって集水され、前記側溝ブロック内、あるいは、前記排水枡内に排水された。
【発明の開示】
【発明が解決しようとする課題】
【０００３】
しかしながら、従来の排水構造においては、導水管の端部を、側溝ブロック、あるいは、排水枡に接続しなければならず、その配置作業が面倒であった。
【０００４】
この発明は、上記した従来の問題点を解決するためになされたものであり、その目的は、導水管の配置作業が容易である、側溝ブロック、および、その側溝ブロックを用いた道路の排水構造を提供することにある。
【課題を解決するための手段】
【０００５】
この発明に係る側溝ブロックおよび道路の排水構造は、前記目的を達成するために、次の構成からなる。すなわち、
請求項１に記載の発明に係る側溝ブロックは、内部に水路を備えた側溝ブロックであって、その外方上端部において、前記側溝ブロックの長手方向全長に渡って延びるとともに上方および側方に開放された凹段部と、その凹段部と前記水路とを連通する排水孔とを備える。そして、前記凹段部上には、周囲の水を集水することができる導水管が、その集水した水を前記排水孔に排水することができるように、前記凹段部の長手方向に沿って載置される。
【０００６】
このように、側溝ブロックが、その外方上端部において、その長手方向に沿って上方および側方に開放された凹段部を備えるので、導水管は、その凹段部上に載置されることで、側溝ブロックに沿って配置される。また、導水管を凹段部上に載置することにより、その導水管の周囲の水は、その導水管によって集水され、その集水された水は、排水孔を介して側溝ブロック内の水路に排水される。
【０００７】
また、請求項２に記載の発明に係る側溝ブロックは、請求項１に記載の側溝ブロックにおいて、前記凹段部の底面には、上方に開口して下方に窪む排水導入口が設けられ、前記排水孔の前記凹段部側の開口部は、前記排水導入口の底面に開口している。これにより、導水管によって集水された水は、排水導入口を介して、排水孔に流れ込む。
【０００８】
また、請求項３に記載の発明に係る側溝ブロックは、請求項３に記載の側溝ブロックにおいて、前記排水導入部の底面は、前記排水孔の前記開口部に向かって下る傾斜面となっている。これにより、排水導入口に流れ込んだ水は、傾斜面を下って確実に排水孔に流れ込む。
【０００９】
請求項４に記載の発明に係る道路の排水構造は、透水層を備えた道路と、請求項１ないし３のいずれか１項に記載の側溝ブロックと、前記導水管とからなる。ここで、前記導水管は、内部に流路を備えるとともに、周壁に、周囲の水を前記流路に取り入れる取水部と前記流路に取り入れられた水を外部に排出する排出部とを備える。そして、前記側溝ブロックは、前記凹段部が前記道路側となるように配備され、前記導水管は、前記排出部が前記排水孔と通じるように、前記凹段部上にその長手方向に沿って載置され、前記透水層は、前記凹段部上に載置された前記導水管の、前記取水部と接するように、前記凹段部上を覆っている。
【００１０】
こうして、導水管は、凹段部上に載置されることで、側溝ブロックに沿って、その長手方向に延びるように配置される。また、透水層が、凹段部の上方を覆うように形成されることで、導水管は、その上方から道路側の側方にわたる広い範囲で、透水層と接するように透水層内に埋設される。すなわち、透水層は、導水管の、上方から道路側の側方にわたる広い範囲で、その取水部と接することとなり、透水層に浸透した雨水等の水は、取水部を介して導水管内部の流路に取り入れられるようにして、集水される。そして、その集水された水は、流路を流れるとともに、排出部を介して排水孔に流れ込み、側溝ブロック内の水路に排水される。
【００１１】
また、請求項５に記載の発明に係る排水構造は、請求項４に記載の排水構造において、
前記側溝ブロックを複数備えるとともに、それら複数の側溝ブロックは、長手方向における端部が互いにつき合わされるように並んで配置される。ここで、前記排水孔は、互いに隣接する側溝ブロックのそれぞれの端部に、分割されるようにして形成され、前記導水管は、前記互いに隣接する側溝ブロックに跨るようにして、それらの凹段部上に載置される。
また、請求項６に記載の発明に係る排水構造は、請求項４または５に記載の排水構造において、前記導水管は、前記周壁に前記流路へと通じる複数の通水部を備え、これら通水部が、前記取水部と前記排出部とを構成している。これにより、導水管の周壁に複数の通水部を設けることで、取水部と排出部とを構成することができ、導水管の構造が簡単なものとなる。
【発明の効果】
【００１２】
この発明に係る側溝ブロックによれば、導水管を凹段部上に載置することで、導水管の周囲の水を集水し、その集水した水を排水孔を介して側溝ブロック内の水路に排水することができるので、導水管の配置作業が容易である。
【００１３】
この発明に係る、道路の排水構造においては、道路の透水層が凹段部上を覆うことで、その凹段部上に載置された導水管は、その上方から道路側の側方にわたる広い範囲で、その取水部が透水層と接することにより、透水層に浸透した雨水等の水を導水管内の流路に集水し、その集水した水を排出部および排出孔を介して、側溝ブロック内の水路に排水することができる。
【発明を実施するための最良の形態】
【００１４】
以下、この発明に係る側溝ブロックおよび道路の排水構造を実施するための最良の形態を、図面に基づいて説明する。
【００１５】
図１ないし図６は、この発明に係る側溝ブロックおよび道路の排水構造の一実施の形態を示す。図中符号１は、排水構造全体を示し、後述する透水層２ａを備える道路（例えば、車道）２と、その道路２に、詳しくは、その道路２の側端部に沿って配備される側溝ブロック３と、周囲の水を集水することができる導水管４とを備える。図示実施の形態においては、排水構造１は、側溝ブロック３を複数備えるとともに、それら複数の側溝ブロック３、３は、長手方向における端部が互いにつき合わされるように並んで配置される。
【００１６】
道路２は、路盤Ｇと、その上方に位置するとともに雨水等の水を浸透させない不透水層２ｂと、さらにその上方に位置するとともに雨水等の水を浸透させることができる透水層２ａとを備えている。
【００１７】
側溝ブロック３は、例えば、暗渠型側溝ブロックからなり、上壁３ａ、側壁３ｂ、３ｂおよび底壁３ｃを備えるとともに、内部に縦断面略卵形状の水路Ｓを備えている。この側溝ブロック３の上壁３ａの上面は、前記側溝ブロックの短手方向における、両側部から中心に向かって、例えば、２％程度の勾配で下る傾斜面３ｋ、３ｋを有している。そして、上壁３ａの上面の前記短手方向における中央位置、すなわち、傾斜面３ｋ、３ｋが交わる位置には、水路Ｓに連通するように上方に開口する貫通孔３ｄ、３ｄが、前記側溝ブロック３の長手方向に沿って等間隔に複数設けられている。また、側壁３ｂ、３ｂの外側面の、長手方向における両端部には、それら外側面から内方に向かって凹むように形成された、隣接する他の側溝ブロック３との連結に用いられる連結部３０１、３０１が設けられている。これら連結部３０１、３０１には、雌ネジを備えたインサート３０２、３０２が、１個ずつ埋設されている。そして、この連結部３０１と隣接する他の側溝ブロック３（図４および図５において、２点鎖線で示す。）の連結部とに、板状の連結具３０３を掛け渡すようにして嵌め込んだ後、連結具３０３に明けられた貫通孔（図示せず）にボルト３０４を通すとともに、インサート３０２の雌ネジにねじ込むことで、側溝ブロック３は、隣接する他の側溝ブロック３と連結される。さらに、側溝ブロック３の側壁３ｂ、３ｂの外側面には、前記連結部３０１、３０１以外に、雌ネジを備えた別のインサート３０５、３０５が、長手方向において所定の間隔をあけて二つずつ埋設されており、これら別のインサート３０５、３０５には、その雌ネジと螺合する雄ネジを備えた、側溝ブロック３を吊り下げ移動するための吊り具（図示せず）がねじ込まれるようになっている。
【００１８】
そして、側溝ブロック３は、その外方上端部、詳しくは、前記側壁３ｂ、３ｂのうちのいずれか一方の側壁３ｂ（図２においては、右側に位置する側壁３ｂ）と上壁３ａとが交わるコーナー部において、側溝ブロック３の長手方向全長に渡って延びるとともに上方および側方（右側方）に開放された凹段部５と、その凹段部５と前記水路Ｓとを連通する排水孔６、６を備える。図示実施の形態においては、排水孔６、６は、凹段部５の長手方向における端部および中間部において、その凹段部５と前記水路Ｓとを連通するように設けられている。
【００１９】
詳しくは、凹段部５の底面５ａには、その凹段部５の長手方向における両端部および中間部の計３箇所において、上方に開口して下方に窪む排水導入口７、７が設けられている。そして、排水孔６、６は、それら排水導入口７、７と側溝ブロック３内の水路Ｓとを連通するように設けられている。すなわち、排水孔６、６は、凹段部５側の開口部６ａ、６ａが、排水導入孔７、７の底面７ａ、７ａに開口するように設けられている（図示実施の形態においては、開口部６ａ、６ａは、排水導入口７、７の底面７ａ、７ａだけでなく、凹段部５の側面５ｂ、５ｂおよび排水導入口７、７の側面７ｂ、７ｂにも開口している。）。ここで、排水導入口７、７の底面７ａ、７ａは、前記開口部６ａ、６ａに向かって下る傾斜面となっている。そして、この凹段部５上、詳しくは、凹段部５の底面５ａ上には、前記導水管４が、その集水した水を前記排水孔６、６に排水することができるように、その凹段部５の長手方向に沿って載置される。なお、凹段部５の長手方向における両端部に設けられる排水導水口７、７および排水孔６、６は、互いに隣接する側溝ブロック３、３のそれぞれの端部に分割されるように、つまり、排水導入口７、７および排水孔６、６がそれらの中央で左右に分割されるように、前記隣接する側溝ブロック３、３のそれぞれの端部に跨るようにして形成されている（図１、図５参照。）。
【００２０】
導水管４は、内部に流路Ｒを備えるとともに、周壁４ａに、周囲の水を前記流路Ｒに取り入れる取水部４ｂ、４ｂと、前記流路Ｒに取り入れられた水を外部に排出する排出部４ｃ、４ｃとを備える。図示実施の形態においては、導水管４は、例えば、ステンレス製フレキシブル管等からなり、可撓性を備えるとともに、内部に流路Ｒを備えるように略円筒形状に形成されており、その周壁４ａには、流路Ｒへと通じる複数（多数）の通水部４ｄ、４ｄが設けられている。そして、これら通水部４ｄ、４ｄが前記取水部４ｂ、４ｂと前記排出部４ｃ、４ｃとを構成している。詳しくは、通水部４ｄ、４ｄの一部、さらに詳しくは、通水部４ｄ、４ｄのうち凹段部５の開放方向に向かって開口する通水部４ｄ、４ｄ（図３においては、三つの通水部４ｄ、４ｄのうち、上側の二つの通水部４ｄ、４ｄ）が前記取水部４ｂ、４ｂを構成し、通水部４ｄ、４ｄの残りの一部、さらに詳しくは、凹段部５の底面５ａあるいは側面５ｂ側に向かって開口する通水部４ｄ、４ｄ（図３においては、三つの通水部４ｄ、４ｄのうち、下側の一つの通水部４ｄ）が前記排出部４ｃ、４ｃを構成している。なお、図示実施の形態においては、通水部４ｄ、４ｄは、周壁４ａに、その周方向に間隔を隔てて３つ設けられているが、このような形態に限定されず、例えば、周壁４ａの周方向の一部を残すように切り欠き形成されたスリットからなるものであってもよい。
【００２１】
次に、側溝ブロック３および導水管４の配置、並びに、道路の敷設方法について説明する。始めに、側溝ブロック３を、凹段部５が道路２側となるように、道路２に沿って埋設配備する。図示実施の形態においては、複数の側溝ブロック３、３を、それらの長手方向における端部が互いにつき合わされて、水路Ｓの延びる方向に並ぶように配置する。そして、路盤Ｇ上に、不透水層２ｂを形成する。このとき、不透水層２ｂの上面２ｃを、凹段部５の底面５ａと側溝ブロック３の外側面（側壁３ｂの外側面）とが交わる角部５ｃの高さと一致させるように形成するのが好ましい。
【００２２】
次に、導水管４を、側溝ブロック３、３に沿って配置する。詳しくは、導水管４を、その排出部４ｃ、４ｃが排水孔６、６と通じるように、すなわち、排出部４ｃ、４ｃが排水孔６、６の開口部６ａ、６ａあるいは排水導入口７、７と対面するように、凹段部５上にその長手方向に沿って載置する（図示実施の形態においては、排水孔６、６と排出部４ｃ、４ｃとなる通水部４ｄ、４ｄとの位置関係を気にすることなく、導水管４を凹段部５上に載置すれば、導水管４の周壁４ａに設けられた多数の通水部４ｄ、４ｄのうちの、排水孔６、６の開口部６ａ、６ａあるいは排水導入口７、７と対面位置するものが、排出部４ｃ、４ｃを構成することとなる。）。ここで、互いに隣接する側溝ブロック３、３のそれぞれの端部がつき合わされた部分においては、導水管４は、前記互いに隣接する側溝ブロック３、３に跨るようにして、凹段部５、５上に載置される（図１参照）。なお、導水管４は、凹段部５上に載置されたあとに、例えば、釘とか粘着テープとかの適宜固定手段によってその凹段部５上に固定されても構わない。さらには、導水管４を配置する際に、導水管４の所定位置（排水孔６、６に対応する位置）に、導水管４によって集水され流路Ｒを流れる雨水等の水を分岐させるように分岐管を取り付け、その分岐管の先端を排水孔６、６に挿入するようにして、導水管４を凹段部５上に載置してもよい。
【００２３】
そして、多孔質のアスファルト、あるいは、多孔質のコンクリート等からなる透水層２ａを、不透水層２ｂおよび凹段部５上を覆うように形成する。これにより、導水管４は、その上方から道路側の側方にわたる広い範囲で、透水層２ａと接するように透水層２ａ内に埋設される。すなわち、透水層２ａは、導水管４の、上方から道路側の側方にわたる広い範囲で、取水部４ｂ、４ｂと接するように、凹段部５上を覆うこととなる。
【００２４】
この実施の形態に係る側溝ブロック３および道路２の排水構造１によれば、道路２の透水層２ａに浸透した雨水等の水は、導水管４の取水部４ｂ、４ｂを介して、導水管４の内部の流路Ｒに取り入れられるようにして、集水される。そして、その集水された水は、流路Ｒを流れるとともに、排出部４ｃ、４ｃを介して、排水孔６、６に流れ込み、側溝ブロック３内の水路Ｓに排水される。図示実施の形態においては、集水された水は、排水導入口７、７を介して、排水孔６、６に流れ込むようになっている。ところで、排水孔６、６の凹段部５側の開口部６ａ、６ａは、一部が排水導入口７、７の底面７ａ、７ａに開口していることから、排水孔６、６は、排水導入口７、７が設けられない場合と比較して、凹段部５側においてより大きく開口することとなり、排水導入口７、７が設けられることで、より多くの水を水路Ｓに排水することができる。また、排水導入口７、７の底面７ａ、７ａが、排水孔６、６の開口部６ａ、６ａに向かって下る傾斜面となっているので、排水導入口７、７に流れ込んだ水は、速やかに、そして、確実に排水孔６、６に流れ込む。
【００２５】
このように、透水層２ａに浸透した雨水等の水は、導水管４の周壁４ａに設けられた取水部４ｂ、４ｂから取り込まれるように集水され、その集水された水も、周壁４ａに設けられた排出部４ｃ、４ｃから外部に排出される。よって、前記排出部４ｃ、４ｃが排水孔６、６に通じるように、導水管４を凹段部５上に載置することで、透水層２ａに浸透した雨水等の水を集水し、その集水した水を排水孔６、６を介して側溝ブロック３内の水路Ｓに排水することができるので、導水管４の配置作業が容易である。
【００２６】
また、導水管４の周壁４ａに設けられた複数の通水部４ｄ、４ｄが、取水部４ｂ、４ｂと排出部４ｃ、４ｃとを構成するので、導水管４の構造が簡単なものとなる。さらに、図示実施の形態においては、通水部４ｄ、４ｄが多数設けられているので、排水孔６、６と排出部４ｃ、４ｃとなる通水部４ｄ、４ｄとの位置関係を気にすることなく、導水管４を凹段部５上に載置すればよい。
【００２７】
なお、本発明に係る側溝ブロック３および道路２の排水構造１は、上述した実施の形態に限定されるわけではなく、その他種々の変更が可能である。例えば、側溝ブロック３は、暗渠型側溝ブロックに限定されず、例えば、可変勾配型側溝ブロック、Ｕ字側溝ブロック等、内部に水路Ｓを備えるものであればよい。
【００２８】
また、排水孔６、６および排水導入口７、７は、凹段部５の長手方向に間隔を隔てて３つ設けられているが、この数に限定されず、例えば、単数であったり、３つ以外の複数であったりしてもよい。また、排水導入口７、７は、必ずしも設けられる必要はない。
【００２９】
また、導水管４は、ステンレス製フレキシブル管以外の導水管であってもよい。すなわち、内部に流路を備えるとともに、周壁に流路へと通じる開口、スリット、間隙を備えるものであれば、例えば、圧縮コイルバネ等のように、線材を螺旋状に巻いた螺線管からなるものであってもよい。
【図面の簡単な説明】
【００３０】
【図１】この発明に係る一実施の形態の側溝ブロックおよび道路の排水構造を示す、平面図である。
【図２】同じく、縦断面図である。
【図３】図２における、要部拡大図である。
【図４】同じく、側溝ブロックの側面図である。
【図５】同じく、側溝ブロックの斜視図である。
【図６】図５における、要部拡大図である。
【符号の説明】
【００３１】
１    排水構造
２    道路
２ａ  透水層
３    側溝ブロック
４    導水管
４ａ  周壁
４ｂ  取水部
４ｃ  排出部
４ｄ  通水部
５    凹段部
６    排水孔
７    排水導入口
Ｓ    水路
Ｒ    流路
【図１】
2006028852.tif 000003
【図２】
2006028852.tif 000004
【図３】
2006028852.tif 000005
【図４】
2006028852.tif 000006
【図５】
2006028852.tif 000007
【図６】
2006028852.tif 000008